(57)【要約】  本開示は、探索空間パラメータの決定方法及び端末装置を提供する。探索空間パラメータの決定方法は、制御リソースセットＣＯＲＥＳＥＴ＃０のＴＣＩ  ｓｔａｔｅを端末装置に設定する専用シグナリングを受信することと、ここで、前記制御リソースセットＣＯＲＥＳＥＴ＃０のＴＣＩ  ｓｔａｔｅによって指示されたソースＲＳがＣＳＩ−ＲＳであり、前記ＣＳＩ−ＲＳと第１の相関関係があるＳＳＢを決定することと、前記ターゲットＳＳＢに基づいて、前記制御リソースセットＣＯＲＥＳＥＴ＃０中の探索空間ｓｅａｒｃｈ  ｓｐａｃｅ＃０のパラメータ情報を決定することとを含む。【選択図】図２
2021523653.tif 000002
【特許請求の範囲】
【請求項１】
端末装置に適用される探索空間パラメータの決定方法であって、
制御リソースセットＣＯＲＥＳＥＴ＃０の伝送設定指示状態ＴＣＩ  ｓｔａｔｅを端末装置に設定する専用シグナリングを受信することと、
ここで、前記制御リソースセットＣＯＲＥＳＥＴ＃０のＴＣＩ  ｓｔａｔｅによって指示されたソース参照信号Ｓｏｕｒｃｅ  ＲＳがチャネル状態情報参照信号ＣＳＩ−ＲＳであり、
前記チャネル状態情報参照信号ＣＳＩ−ＲＳと第１の相関関係があるターゲット同期信号ブロックＳＳＢを決定することと、
前記ターゲット同期信号ブロックＳＳＢに基づいて、前記制御リソースセットＣＯＲＥＳＥＴ＃０中の探索空間ｓｅａｒｃｈ  ｓｐａｃｅ＃０のパラメータ情報を決定することとを含む、探索空間パラメータの決定方法。
【請求項２】
前記第１の相関関係として、前記チャネル状態情報参照信号ＣＳＩ−ＲＳと前記ターゲット同期信号ブロックＳＳＢとが疑似コロケーションＱＣＬである、請求項１に記載の探索空間パラメータの決定方法。
【請求項３】
前記チャネル状態情報参照信号ＣＳＩ−ＲＳと関連関係があるターゲットＳＳＢを決定することは、
前記チャネル状態情報参照信号ＣＳＩ−ＲＳのＴＣＩ  ｓｔａｔｅを決定することと、
前記チャネル状態情報参照信号ＣＳＩ−ＲＳのＴＣＩ  ｓｔａｔｅに基づいて、前記ターゲットＳＳＢを決定することとを含む、請求項１に記載の探索空間パラメータの決定方法。
【請求項４】
前記チャネル状態情報参照信号ＣＳＩ−ＲＳのＴＣＩ  ｓｔａｔｅに基づいて、前記ターゲットＳＳＢを決定することは、
前記チャネル状態情報参照信号ＣＳＩ−ＲＳのＴＣＩ  ｓｔａｔｅによって指示されたソースＲＳが第１のＳＳＢであれば、第１のＳＳＢを前記ターゲットＳＳＢとして決定することを含む、請求項３に記載の探索空間パラメータの決定方法。
【請求項５】
前記チャネル状態情報参照信号ＣＳＩ−ＲＳのＴＣＩ  ｓｔａｔｅに基づいて、前記ターゲットＳＳＢを決定することは、
前記チャネル状態情報参照信号ＣＳＩ−ＲＳのＴＣＩ  ｓｔａｔｅによって指示されたソースＲＳがターゲット参照信号ＲＳであれば、ＳＳＢ以外の他のＲＳである前記ターゲットＲＳと第２の相関関係がある第２のＳＳＢを決定することと、
前記第２のＳＳＢを前記ターゲットＳＳＢとして決定することを含む、請求項３に記載の探索空間パラメータの決定方法。
【請求項６】
前記第２の相関関係として、前記ターゲットＲＳと前記第２のＳＳＢとがＱＣＬである、請求項５に記載の探索空間パラメータの決定方法。
【請求項７】
前記探索空間ｓｅａｒｃｈ  ｓｐａｃｅ＃０のパラメータ情報は、物理ダウンリンク制御チャネルＴｙｐｅ  ０−ＰＤＣＣＨの共通探索空間ｃｏｍｍｏｎ  ｓｅａｒｃｈ  ｓｐａｃｅをモニタリングするように指示する、請求項１に記載の探索空間パラメータの決定方法。
【請求項８】
前記探索空間ｓｅａｒｃｈ  ｓｐａｃｅ＃０のパラメータ情報は、時間周波数リソース情報、空間受信パラメータ情報のうちの少なくとも１つを含む、請求項１又は７に記載の探索空間パラメータの決定方法。
【請求項９】
前記専用シグナリングは、無線リソース制御ＲＲＣシグナリング、媒体アクセス制御層制御要素ＭＡＣ  ＣＥシグナリングのうちの少なくとも１つを含む、請求項１に記載の探索空間パラメータの決定方法。
【請求項１０】
制御リソースセットＣＯＲＥＳＥＴ＃０のＴＣＩ  ｓｔａｔｅを端末装置に設定する専用シグナリングを受信する受信モジュールと、
ここで、前記制御リソースセットＣＯＲＥＳＥＴ＃０のＴＣＩ  ｓｔａｔｅによって指示されたソースＲＳがチャネル状態情報参照信号ＣＳＩ−ＲＳであり、
前記チャネル状態情報参照信号ＣＳＩ−ＲＳと第１の相関関係があるターゲットＳＳＢを決定する第１の決定モジュールと、
前記ターゲットＳＳＢに基づいて、前記制御リソースセットＣＯＲＥＳＥＴ＃０中の探索空間ｓｅａｒｃｈ  ｓｐａｃｅ＃０のパラメータ情報を決定する第２の決定モジュールとを含む、端末装置。
【請求項１１】
メモリと、プロセッサと、前記メモリに記憶されて前記プロセッサで実行可能なコンピュータプログラムプログラムとを含む端末装置であって、
前記コンピュータプログラムが前記プロセッサによって実行されると、請求項１〜９のいずれか１項に記載の探索空間パラメータの決定方法が実現される、端末装置。
【請求項１２】
コンピュータプログラムが記憶されているコンピュータ読み取り可能な記憶媒体であって、
前記コンピュータプログラムがプロセッサによって実行されると、請求項１〜９のいずれか１項に記載の探索空間パラメータの決定方法が実現される、コンピュータ読み取り可能な記憶媒体。
【発明の詳細な説明】
【技術分野】
【０００１】
（関連出願の相互参照）
本願は、２０１８年７月１３日に提出された中国特許出願第２０１８１０７７２２６９．Ｘ号の優先権を主張するものであり、その全ての内容は参照により本願に取り込まれるものとする。
本開示は、通信の分野に関し、特に探索空間パラメータの決定方法及び端末装置に関する。
【背景技術】
【０００２】
第５世代（５ｔｈ  Ｇｅｎｅｒａｔｉｏｎ、５Ｇ）移動通信システムの新たな無線技術（Ｎｅｗ  Ｒａｄｉｏ、ＮＲ）に、大規模アンテナ技術が導入されるため、マルチユーザ−多入力多出力（Ｍｕｌｔｉ−Ｕｓｅｒ  Ｍｕｌｔｉｐｌｅ−Ｉｎｐｕｔ  Ｍｕｌｔｉｐｌｅ−Ｏｕｔｐｕｔ、ＭＵ−ＭＩＭＯ）アンテナ技術をよりよくサポートすることができる。大規模アンテナアレイによる装置コスト及びベースバンド処理の複雑さを低減するために、デジタルアナログハイブリッドビームフォーミング技術により、送信信号とチャネルとの大まかなマッチングを実現する。
【０００３】
しかしながら、デジタルアナログハイブリッドビームフォーミング技術において、現在、制御リソースセット（ＣＯＲＥＳＥＴ＃０）の設定情報に基づいて制御リソースセットＣＯＲＥＳＥＴ＃０における探索空間（ｓｅａｒｃｈ  ｓｐａｃｅ＃０）のパラメータ情報を決定する解決手段が依然として欠如しているため、探索空間ｓｅａｒｃｈ  ｓｐａｃｅ＃０を正確にモニタリングすることができない。
【発明の概要】
【発明が解決しようとする課題】
【０００４】
本開示の実施例は、関連技術における、端末装置が探索空間ｓｅａｒｃｈ  ｓｐａｃｅ＃０のパラメータ情報を正確に決定することができないという課題を解決するために、探索空間パラメータの決定方法及び端末装置を提供することを目的とする。
【課題を解決するための手段】
【０００５】
第１の態様では、本開示の実施例に係る、端末装置に適用される探索空間パラメータの決定方法は、
制御リソースセットＣＯＲＥＳＥＴ＃０のＴＣＩ  ｓｔａｔｅを前記端末装置に設定する専用シグナリングを受信することと、
ここで、前記制御リソースセットＣＯＲＥＳＥＴ＃０のＴＣＩ  ｓｔａｔｅによって指示されたソースＲＳがＣＳＩ−ＲＳであり、
前記ＣＳＩ−ＲＳと第１の相関関係があるターゲットＳＳＢを決定することと、
前記ターゲットＳＳＢに基づいて、前記制御リソースセットＣＯＲＥＳＥＴ＃０中の探索空間ｓｅａｒｃｈ  ｓｐａｃｅ＃０のパラメータ情報を決定することとを含む。
【０００６】
第２の態様では、本開示の実施例に係る端末装置は、
制御リソースセットＣＯＲＥＳＥＴ＃０のＴＣＩ  ｓｔａｔｅを前記端末装置に設定する専用シグナリングを受信する受信モジュールと、
ここで、前記制御リソースセットＣＯＲＥＳＥＴ＃０のＴＣＩ  ｓｔａｔｅによって指示されたソースＲＳがＣＳＩ−ＲＳであり、
前記ＣＳＩ−ＲＳと第１の相関関係があるターゲットＳＳＢを決定する第１の決定モジュールと、
前記ターゲットＳＳＢに基づいて、前記制御リソースセットＣＯＲＥＳＥＴ＃０中の探索空間ｓｅａｒｃｈ  ｓｐａｃｅ＃０のパラメータ情報を決定する第２の決定モジュールとを含む。
【０００７】
第３の態様では、本開示の実施例に係る端末装置は、
プロセッサと、メモリと、前記メモリに記憶され前記プロセッサで実行可能なコンピュータプログラムプログラムとを含み、
前記コンピュータプログラムが前記プロセッサによって実行されると、第１の態様に記載の探索空間パラメータの決定方法が実現される。
【０００８】
第４の態様では、本開示の実施例に係る、コンピュータプログラムが記憶されているコンピュータ読み取り可能な記憶媒体は、
前記コンピュータプログラムがプロセッサによって実行されると、第１の態様に記載の探索空間パラメータの決定方法が実現される。
【発明の効果】
【０００９】
本開示の実施例では、専用シグナリングにより制御リソースセットＣＯＲＥＳＥＴ＃０のＴＣＩ  ｓｔａｔｅを端末装置に設定し、制御リソースセットＣＯＲＥＳＥＴ＃０のＴＣＩ  ｓｔａｔｅによって指示されたソースＲＳがＣＳＩ−ＲＳである場合、端末装置は、該ＣＳＩ−ＲＳと第１の相関関係があるターゲットＳＳＢを決定することにより、該ターゲットＳＳＢに基づいて、探索空間ｓｅａｒｃｈ  ｓｐａｃｅ＃０のパラメータ情報を正確に決定し、さらに端末装置が探索空間ｓｅａｒｃｈ  ｓｐａｃｅ＃０を正確にモニタリングすることを効果的に実現することができる。
【００１０】
ここで説明される図面は、本開示への理解を深めるためのものであり、本開示の一部を構成し、本開示の例示的な実施例及びその説明は、本開示を説明するためのものであり、本開示を限定するものではない。
【図面の簡単な説明】
【００１１】
【図１】本開示の実施例に係るネットワークアーキテクチャの概略図である。
【図２】本開示の実施例に係る探索空間パラメータの決定方法のフローチャートである。
【図３】本開示の実施例に係る端末装置の概略構成図である。
【図４】本開示の実施例に係る別の端末装置の概略構成図である。
【発明を実施するための形態】
【００１２】
以下、本開示の実施例における図面を参照しながら、本開示の実施例における技術手段を明確かつ完全的に説明する。明らかに、説明される実施例は、本開示の実施例の一部であり、全てではない。本開示の実施例に基づいて、当業者が創造的な労働をしない前提で得られる他の全ての実施例は、いずれも本開示の保護範囲に属するものである。
【００１３】
図１を参照すると、図１は、本開示の実施例に係るネットワークアーキテクチャの概略図である。図１に示すように、ユーザ端末１１と、基地局１２とを含み、ユーザ端末１１は、携帯電話、タブレットコンピュータ（Ｔａｂｌｅｔ  Ｐｅｒｓｏｎａｌ  Ｃｏｍｐｕｔｅｒ）、ラップトップコンピュータ（Ｌａｐｔｏｐ  Ｃｏｍｐｕｔｅｒ）、パーソナルデジタルアシスタント（ｐｅｒｓｏｎａｌ  ｄｉｇｉｔａｌ  ａｓｓｉｓｔａｎｔ、ＰＤＡ）、モバイルインターネット装置（Ｍｏｂｉｌｅ  Ｉｎｔｅｒｎｅｔ  Ｄｅｖｉｃｅ、ＭＩＤ）又はウェアラブルデバイス（Ｗｅａｒａｂｌｅ  Ｄｅｖｉｃｅ）などのような端末装置（Ｕｓｅｒ  Ｅｑｕｉｐｍｅｎｔ、ＵＥ）であってよい。なお、本開示の実施例では、ユーザ端末１１の具体的なタイプを限定しない。上記基地局１２は、５Ｇ及びそれより新しいバージョンの基地局（例えば、ｇＮＢ、５Ｇ  ＮＲ  ＮＢ）又は他の通信システムにおける基地局であってよく、又はノードＢと呼ばれる。なお、本開示の実施例では、５Ｇ基地局のみを例とするが、基地局１２の具体的なタイプは限定されない。
【００１４】
なお、上記ユーザ端末１１及び基地局１２の具体的な機能については、以下の複数の実施例により具体的に説明する。
【００１５】
図２は、本開示の実施例に係る探索空間パラメータの決定方法のフローチャートである。端末装置に適用される方法は、以下のようにしてもよい。
【００１６】
ステップ２１０では、制御リソースセットＣＯＲＥＳＥＴ＃０の伝送設定指示状態（Ｔｒａｎｓｍｉｓｓｉｏｎ  Ｃｏｎｆｉｇｕｒａｔｉｏｎ  Ｉｎｄｉｃａｔｉｏｎ  ｓｔａｔｅ、ＴＣＩ  ｓｔａｔｅ）を端末装置に設定する専用シグナリングを受信し、
ここで、制御リソースセットＣＯＲＥＳＥＴ＃０のＴＣＩ  ｓｔａｔｅによって指示されたソース参照信号（Ｓｏｕｒｃｅ  Ｒｅｆｅｒｅｎｃｅ  Ｓｉｇｎａｌ、ソースＲＳ）がチャネル状態情報参照信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ、ＣＳＩ−ＲＳ）である。
【００１７】
ステップ２２０では、ＣＳＩ−ＲＳと第１の相関関係があるターゲット同期信号ブロック（Ｓｙｎｃｈｒｏｎｉｚｉｎｇ  Ｓｉｇｎａｌ  Ｂｌｏｃｋ、ＳＳＢ）を決定する。
【００１８】
ステップ２３０では、ターゲットＳＳＢに基づいて、制御リソースセットＣＯＲＥＳＥＴ＃０中の探索空間ｓｅａｒｃｈ  ｓｐａｃｅ＃０のパラメータ情報を決定する。
【００１９】
実際の応用において、ネットワーク側装置は、物理ブロードキャストチャネル（Ｐｈｙｓｉｃａｌ  Ｂｒｏａｄｃａｓｔ  Ｃｈａｎｎｅｌ、ＰＢＣＨ）により制御リソースセットＣＯＲＥＳＥＴ＃０の関連情報を端末装置に設定し、ＰＢＣＨがＳＳＢの構成部分であり、制御リソースセットＣＯＲＥＳＥＴ＃０及びＰＢＣＨが所在するＳＳＢは、空間疑似コロケーション（ｓｐａｔｉａｌ  Ｑｕａｓｉ−ｃｏｌｏｃａｔｉｏｎ、ｓｐａｔｉａｌ  ＱＣＬ）であり、そのため端末装置は、制御リソースセットＣＯＲＥＳＥＴ＃０相関情報を設定するＰＢＣＨが所在するＳＳＢに基づいて、制御リソースセットＣＯＲＥＳＥＴ＃０中の探索空間ｓｅａｒｃｈ  ｓｐａｃｅ＃０のパラメータ情報を決定することができる。
【００２０】
いくつかの実施例では、ネットワーク側装置は、所在するＳＳＢが第１のＳＳＢであるＰＢＣＨにより制御リソースセットＣＯＲＥＳＥＴ＃０の伝送設定指示状態ＴＣＩ  ｓｔａｔｅを端末装置に設定する。物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）のスケジューリングプロセス中、ネットワーク側装置は、端末装置にＰＤＳＣＨをスケジューリングするダウンリンク制御情報（Ｄｏｗｎｌｉｎｋ  Ｃｏｎｔｒｏｌ  Ｉｎｆｏｒｍａｔｉｏｎ、ＤＣＩ）を送信し、端末装置の、ＤＣＩを受信する受信時刻と、ＰＤＳＣＨを受信する受信時刻との間の時間オフセットが予め設定された閾値以下であれば、端末装置は、現在のサービングセル中のアクティブ状態にある帯域幅部分（Ｂａｎｄｗｉｄｔｈ  Ｐａｒｔ、ＢＷＰ）上で最小ＩＤを有するＣＯＲＥＳＥＴの伝送設定指示状態ＴＣＩ  ｓｔａｔｅに基づいてＰＤＳＣＨを受信し、即ち、端末装置は、第１のＳＳＢにおけるＰＢＣＨによって設定された制御リソースセットＣＯＲＥＳＥＴ＃０のＱＣＬ情報に基づいてＰＤＳＣＨを受信する。
【００２１】
端末装置は、位置移動によるＳＳＢ切り換え、第１のＳＳＢから第２のＳＳＢに切り換えることが発生したが、ネットワーク側装置は、知らないうちに、依然として第１のＳＳＢにおけるＰＢＣＨによって設定された制御リソースセットＣＯＲＥＳＥＴ＃０のＱＣＬ情報に基づいてＰＤＳＣＨを送信すると、ＰＤＳＣＨのスケジューリングプロセス中に、ネットワーク側装置及び端末装置は、データ伝送を正しく行うことができなくなる。
【００２２】
本開示の実施例では、制御リソースセットＣＯＲＥＳＥＴ＃０を柔軟に設定し、ネットワーク側装置と端末装置との間に制御リソースセットＣＯＲＥＳＥＴ＃０での制御情報を正確に伝送するために、ネットワーク側装置は、専用シグナリングにより制御リソースセットＣＯＲＥＳＥＴ＃０の伝送設定指示状態ＴＣＩ  ｓｔａｔｅを端末装置に設定して、ネットワーク側装置及び端末装置の制御リソースセットＣＯＲＥＳＥＴ＃０の伝送設定指示状態ＴＣＩ  ｓｔａｔｅに対する理解を一致させ、ネットワーク側装置及び端末装置がデータ伝送を正しく行うことを確保する。
【００２３】
ネットワーク側装置は、専用シグナリングにより制御リソースセットＣＯＲＥＳＥＴ＃０の伝送設定指示状態ＴＣＩ  ｓｔａｔｅを端末装置に設定し、このとき、制御リソースセットＣＯＲＥＳＥＴ＃０の伝送設定指示状態ＴＣＩ  ｓｔａｔｅによって指示されたソース  ＲＳは、ＳＳＢであってもよく、ＣＳＩ−ＲＳなどの他のＲＳであってもよい。
【００２４】
本開示の実施例では、専用シグナリングは、無線リソース制御（Ｒａｄｉｏ  Ｒｅｓｏｕｒｃｅ  Ｃｏｎｔｒｏｌ、ＲＲＣ）シグナリング、媒体アクセス制御層制御要素（Ｍｅｄｉｕｍ  Ａｃｃｅｓｓ  Ｃｏｎｔｒｏｌ  Ｃｏｎｔｒｏｌ  Ｅｌｅｍｅｎｔ、ＭＡＣ  ＣＥ）シグナリングのうちの少なくとも１つを含む。
【００２５】
例えば、ネットワーク側装置は、ＲＲＣシグナリングにより、制御リソースセットＣＯＲＥＳＥＴ＃０の伝送設定指示状態ＴＣＩ  ｓｔａｔｅを端末装置に設定し、あるいは、ネットワーク側装置は、ＲＲＣシグナリング及びＭＡＣ  ＣＥシグナリングにより、制御リソースセットＣＯＲＥＳＥＴ＃０の伝送設定指示状態ＴＣＩ  ｓｔａｔｅを端末装置に設定し、指示する。
【００２６】
なお、制御リソースセットＣＯＲＥＳＥＴ＃０の伝送設定指示状態ＴＣＩ  ｓｔａｔｅは、参照信号セット（Ｒｅｆｅｒｅｎｃｅ  Ｓｉｇｎａｌ  ｓｅｔ、ＲＳ  ｓｅｔ）におけるＲＳ、即ち、ソースＲＳを指示する。
【００２７】
端末装置は、ネットワーク側装置によって送信された、制御リソースセットＣＯＲＥＳＥＴ＃０の伝送設定指示状態ＴＣＩ  ｓｔａｔｅを設定する専用シグナリングを受信し、かつ専用シグナリングの設定情報に基づいて、ネットワーク側装置によって設定された制御リソースセットＣＯＲＥＳＥＴ＃０の伝送設定指示状態ＴＣＩ  ｓｔａｔｅによって指示されたソースＲＳがＣＳＩ−ＲＳであり、即ち、制御リソースセットＣＯＲＥＳＥＴ＃０とＣＳＩ−ＲＳとが疑似コロケーション（Ｑｕａｓｉ−ｃｏｌｏｃａｔｉｏｎ、ＱＣＬ）であると決定する場合、制御リソースセットＣＯＲＥＳＥＴ＃０中の探索空間ｓｅａｒｃｈ  ｓｐａｃｅ＃０のパラメータ情報を決定するために、該ＣＳＩ−ＲＳと第１の相関関係があるターゲットＳＳＢを決定する必要があり、さらにターゲットＳＳＢに基づいて探索空間ｓｅａｒｃｈ  ｓｐａｃｅ＃０のパラメータ情報を決定する。
【００２８】
本開示の実施形態では、第１の相関関係として、ＣＳＩ−ＲＳとターゲットＳＳＢとは、疑似コロケーション（Ｑｕａｓｉ−ｃｏｌｏｃａｔｉｏｎ、ＱＣＬ）である。
【００２９】
好ましくは、第１の相関関係として、ＣＳＩ−ＲＳとターゲットＳＳＢとは、少なくとも、空間疑似コロケーションｓｐａｔｉａｌ  ＱＣＬである。
【００３０】
本開示の実施例では、ＣＳＩ−ＲＳと関連関係があるターゲットＳＳＢを決定することは、
ＣＳＩ−ＲＳの伝送設定指示状態ＴＣＩ  ｓｔａｔｅを決定することと、
ＣＳＩ−ＲＳの伝送設定指示状態ＴＣＩ  ｓｔａｔｅに基づいて、ターゲットＳＳＢを決定することとを含む。
【００３１】
制御リソースセットＣＯＲＥＳＥＴ＃０の伝送設定指示状態ＴＣＩ  ｓｔａｔｅによって指示されたＣＳＩ−ＲＳと第１の相関関係があるターゲットＳＳＢを決定するために、端末装置は、まず、ネットワーク側装置によって設定されるか又は指示された該ＣＳＩ−ＲＳの伝送設定指示状態ＴＣＩ  ｓｔａｔｅを決定する。
【００３２】
実際の応用において、ネットワーク側装置は、ＲＳのＱＣＬ情報を指示するＲＳの伝送設定指示状態ＴＣＩ  ｓｔａｔｅを端末装置に設定するか又は指示する。伝送設定指示状態ＴＣＩ  ｓｔａｔｅがＣＳＩ−ＲＳのＱＣＬ情報を指示する場合、ＣＳＩ−ＲＳの伝送設定指示状態ＴＣＩ  ｓｔａｔｅによって指示されたソースＲＳ及びターゲット参照信号Ｔａｒｇｅｔ  ＲＳについて、Ｓｏｕｒｃｅ  ＲＳは、ＳＳＢで、ターゲットＲＳは、周期的チャネル状態情報参照信号（Ｐｅｒｉｏｄｉｃ  ＣＳＩ−ＲＳ、Ｐ−ＣＳＩ−ＲＳ）／半永続的チャネル状態情報参照信号（Ｓｅｍｉ−Ｐｅｒｓｉｓｔｅｎｔ  ＣＳＩ−ＲＳ、ＳＰ−ＣＳＩ−ＲＳ）であってもよく、ソースＲＳは、Ｐ−ＣＳＩ−ＲＳで、ターゲットＲＳは、Ｐ−ＣＳＩ−ＲＳであってもよく、ソースＲＳは、ＳＳＢ／Ｐ−ＣＳＩ−ＲＳ／ＳＰ−ＣＳＩ−ＲＳで、ターゲットＲＳは、非周期的チャネル状態情報参照信号（Ａｐｅｒｉｏｄｉｃ  ＣＳＩ−ＲＳ、ＡＰ−ＣＳＩ−ＲＳ）であってもよい。ソースＲＳとターゲットＲＳは、ＱＣＬである。
【００３３】
端末装置は、ＣＳＩ−ＲＳの伝送設定指示状態ＴＣＩ  ｓｔａｔｅに基づいて、ターゲットＳＳＢを決定する方式は、少なくとも、下記２つを含んでよい。
【００３４】
第１の方式について、
本開示の実施例では、ＣＳＩ−ＲＳの伝送設定指示状態ＴＣＩ  ｓｔａｔｅに基づいてターゲットＳＳＢを決定することは、
ＣＳＩ−ＲＳの伝送設定指示状態ＴＣＩ  ｓｔａｔｅによって指示されたソースＲＳが第１のＳＳＢであれば、第１のＳＳＢをターゲットＳＳＢとして決定することを含む。
【００３５】
ネットワーク側装置によって設定されるか又は指示されたＣＳＩ−ＲＳの伝送設定指示状態ＴＣＩ  ｓｔａｔｅによって指示されたソースＲＳは、第１のＳＳＢであり、即ち、ＣＳＩ−ＲＳと第１のＳＳＢとはＱＣＬである。したがって、端末装置は、第１のＳＳＢをターゲットＳＳＢとして決定することができる。
【００３６】
第２の方式について、
本開示の実施例では、ＣＳＩ−ＲＳの伝送設定指示状態ＴＣＩ  ｓｔａｔｅに基づいてターゲットＳＳＢを決定することは、
ＣＳＩ−ＲＳの伝送設定指示状態ＴＣＩ  ｓｔａｔｅによって指示されたソースＲＳがターゲットＲＳであれば、ＳＳＢ以外の他のＲＳであるターゲットＲＳと第２の相関関係がある第２のＳＳＢを決定することと、
第２のＳＳＢをターゲットＳＳＢとして決定することとを含む。
【００３７】
本開示の実施例では、第２の相関関係として、ターゲットＲＳと第２のＳＳＢとはＱＣＬである。
【００３８】
好ましくは、第２の相関関係として、ターゲットＲＳと第２のＳＳＢとは、少なくとも空間疑似コロケーションｓｐａｔｉａｌ  ＱＣＬである。
【００３９】
ネットワーク側装置によって設定されるか又は指示されたＣＳＩ−ＲＳの伝送設定指示状態ＴＣＩ  ｓｔａｔｅによって指示されたソースＲＳがターゲットＲＳであり、またターゲットＲＳがＳＳＢ以外の他のＲＳである場合、端末装置は、ターゲットＳＳＢを間接的に決定する必要があり、
まず、ターゲットＲＳと第２の相関関係がある第２のＳＳＢを決定し、即ち、ターゲットＲＳと第２のＳＳＢとがＱＣＬであり、
次に、ターゲットＲＳが該ＣＳＩ−ＲＳの伝送設定指示状態ＴＣＩ  ｓｔａｔｅによって指示されたソースＲＳであり、即ち、ターゲットＲＳと該ＣＳＩ−ＲＳとがＱＣＬであるため、
端末装置は、該ＣＳＩ−ＲＳと第２のＳＳＢとがＱＣＬであることを間接的に決定し、第２のＳＳＢをターゲットＳＳＢとして決定することができる。
【００４０】
例えば、端末装置は、ネットワーク側装置によって送信された、制御リソースセットＣＯＲＥＳＥＴ＃０の伝送設定指示状態ＴＣＩ  ｓｔａｔｅを設定する専用シグナリングを受信し、かつ専用シグナリングの設定情報に基づいて、ネットワーク側装置によって設定された制御リソースセットＣＯＲＥＳＥＴ＃０の伝送設定指示状態ＴＣＩ  ｓｔａｔｅによって指示されたソースＲＳが第１のＰ−ＣＳＩ−ＲＳであると決定する場合、
ネットワーク側装置によって設定されるか又は指示された該第１のＰ−ＣＳＩ−ＲＳの伝送設定指示状態ＴＣＩ  ｓｔａｔｅを決定し、該第１のＰ−ＣＳＩ−ＲＳの伝送設定指示状態ＴＣＩ  ｓｔａｔｅによって指示されたソースＲＳがターゲットＲＳ（第２のＰ−ＣＳＩ−ＲＳ）であり、即ち、該第１のＰ−ＣＳＩ−ＲＳと該ターゲットＲＳ（第２のＰ−ＣＳＩ−ＲＳ）とがＱＣＬであれば、端末装置は、該ターゲットＲＳ（第２のＰ−ＣＳＩ−ＲＳ）と第２の相関関係がある第２のＳＳＢをさらに決定する必要があり、即ち、該ターゲットＲＳ（第２のＰ−ＣＳＩ−ＲＳ）と第２のＳＳＢとがＱＣＬであり、さらに、端末装置は、該第１のＰ−ＣＳＩ−ＲＳと第２のＳＳＢとがＱＣＬであることを間接的に決定し、第２のＳＳＢをターゲットＳＳＢとして決定することができる。
【００４１】
なお、端末装置は、直接的又は間接的な方式によりターゲットＲＳと第２の相関関係がある第２のＳＳＢを決定することができる。
【００４２】
ａ、直接的な方式について
ターゲットＲＳの伝送設定指示状態ＴＣＩ  ｓｔａｔｅを決定し、ターゲットＲＳの伝送設定指示状態ＴＣＩ  ｓｔａｔｅによって指示されたソースＲＳが第２のＳＳＢであれば、端末装置は、第２のＳＳＢを直接的に決定することができる。
【００４３】
依然として、上記ターゲットＲＳが第２のＰ−ＣＳＩ−ＲＳであることを例にして、端末装置は、ネットワーク側装置によって設定されるか又は指示された該ターゲットＲＳ（第２のＰ−ＣＳＩ−ＲＳ）のＴＣＩ  ｓｔａｔｅを決定し、該ターゲットＲＳ（第２のＰ−ＣＳＩ−ＲＳ）のＴＣＩ  ｓｔａｔｅによって指示されたソースＲＳが第２のＳＳＢであり、即ち、該ターゲットＲＳ（第２のＰ−ＣＳＩ−ＲＳ）と第２のＳＳＢとがＱＣＬであれば、端末装置は、第２のＳＳＢを直接的に決定することができる。
【００４４】
ｂ、間接的な方式について
ターゲットＲＳのＴＣＩ  ｓｔａｔｅを決定し、ターゲットＲＳのＴＣＩ  ｓｔａｔｅによって指示されたソースＲＳがＳＳＢ以外の他のＲＳであれば、端末装置は、ターゲットＲＳに基づいて第２のＳＳＢを間接的に決定し、該他のＲＳと関連関係がある第２のＳＳＢを決定する。即ち、該他のＲＳと第２のＳＳＢとがＱＣＬであり、該他のＲＳとターゲットＲＳとがＱＣＬであるため、端末装置は、ターゲットＲＳと第２のＳＳＢとがＱＣＬであることを間接的に決定する。即ち、第２のＳＳＢを間接的に決定する。
【００４５】
依然として、上記ターゲットＲＳが第２のＰ−ＣＳＩ−ＲＳであることを例にして、端末装置は、ネットワーク側装置によって設定されるか又は指示された該ターゲットＲＳ（第２のＰ−ＣＳＩ−ＲＳ）のＴＣＩ  ｓｔａｔｅを決定し、該ターゲットＲＳ（第２のＰ−ＣＳＩ−ＲＳ）のＴＣＩ  ｓｔａｔｅによって指示されたソースＲＳが第３のＰ−ＣＳＩ−ＲＳであり、即ち、該第３のＰ−ＣＳＩ−ＲＳと該ターゲットＲＳ（第２のＰ−ＣＳＩ−ＲＳ）とがＱＣＬであれば、
端末装置は、ネットワーク側装置によって設定されるか又は指示された該第３のＰ−ＣＳＩ−ＲＳのＴＣＩ  ｓｔａｔｅをさらに決定し、該第３のＰ−ＣＳＩ−ＲＳのＴＣＩ  ｓｔａｔｅによって指示されたソースＲＳが第２のＳＳＢであり、即ち、該第３のＰ−ＣＳＩ−ＲＳと第２のＳＳＢとがＱＣＬであれば、
端末装置は、該ターゲットＲＳ（第２のＰ−ＣＳＩ−ＲＳ）と第２のＳＳＢとがＱＣＬであることを間接的に決定し、即ち、第２のＳＳＢを間接的に決定する。
【００４６】
端末装置は、ターゲットＳＳＢを決定した後、該ターゲットＳＳＢに基づいて制御リソースセットＣＯＲＥＳＥＴ＃０中の探索空間ｓｅａｒｃｈ  ｓｐａｃｅ＃０のパラメータ情報を決定することができる。
【００４７】
ここで、探索空間ｓｅａｒｃｈ  ｓｐａｃｅ＃０は、制御リソースセットＣＯＲＥＳＥＴ＃０中に設定され、インデックス（ｉｎｄｅｘ）が０である探索空間である。
【００４８】
本開示の実施例では、探索空間ｓｅａｒｃｈ  ｓｐａｃｅ＃０のパラメータ情報は、物理ダウンリンク制御チャネル（Ｔｙｐｅ  ０  Ｐｈｙｓｉｃａｌ  Ｄｏｗｎｌｉｎｋ  Ｃｏｎｔｒｏｌ  Ｃｈａｎｎｅｌ、Ｔｙｐｅ  ０−ＰＤＣＣＨ）のｃｏｍｍｏｎ  ｓｅａｒｃｈ  ｓｐａｃｅをモニタリングするように端末装置を指示する。
【００４９】
ここで、探索空間ｓｅａｒｃｈ  ｓｐａｃｅ＃０のパラメータ情報は、時間周波数リソース情報、空間受信パラメータ情報のうちの少なくとも１つを含む。
【００５０】
１つの実施例では、端末装置は、ターゲットプロトコルテーブル中のｐｄｃｃｈ−ＣｏｎｆｉｇＳＩＢ１のうちの最も重要な４つのビットに基づいて、探索空間ｓｅａｒｃｈ  ｓｐａｃｅ＃０が所在する制御リソースセットＣＯＲＥＳＥＴ＃０の連続リソースブロック（ＲＢ、Ｒｅｓｏｕｒｃｅ  Ｂｌｏｃｋ）の個数及び連続シンボルの個数を決定し、かつｐｄｃｃｈ−ＣｏｎｆｉｇＳＩＢ１のうちの最も重要でない４つのビットに基づいて、ＰＤＣＣＨ  ｍｏｎｉｔｏｒｉｎｇ  ｏｃｃａｓｉｏｎｓを決定する。
【００５１】
ターゲットプロトコルでは、制御リソースセットＣＯＲＥＳＥＴ＃０のサブキャリア間隔（Ｓｕｂｃａｒｒｉｅｒ  Ｓｐａｃｉｎｇ）に基づいて時間オフセット（ｏｆｆｓｅｔ）を定義しており、該定義は、探索空間ｓｅａｒｃｈ  ｓｐａｃｅ＃０が所在する制御リソースセットＣＯＲＥＳＥＴ＃０中の最小リソースブロックインデックス（ＲＢ  ｉｎｄｅｘ）からターゲットＳＳＢの１番目のＲＢと重なるｃｏｍｍｏｎ  ＲＢのうちの最小ＲＢ  ｉｎｄｅｘまでを考慮する。
【００５２】
ターゲットＳＳＢ及び制御リソースセットＣＯＲＥＳＥＴ＃０の多重化パターン１（ｍｕｌｔｉｐｌｅｘｉｎｇ  ｐａｔｔｅｒｎ  １）について、端末装置は、隣接する２つのタイムスロットで探索空間ｓｅａｒｃｈ  ｓｐａｃｅ＃０でのＰＤＣＣＨをモニタリングし、開始タイムスロットはｎ０である。端末装置は、ターゲットＳＳＢのｉｎｄｅｘに基づいてタイムスロットｎ０のｉｎｄｅｘなどのパラメータを決定する。ターゲットＳＳＢ及び制御リソースセットＣＯＲＥＳＥＴ＃０のｍｕｌｔｉｐｌｅｘｉｎｇ  ｐａｔｔｅｒｎｓ  ２及び３について、端末装置は、１つのタイムスロットで、周期がターゲットＳＳＢの周期に等しい探索空間ｓｅａｒｃｈ  ｓｐａｃｅ＃０でのＰＤＣＣＨをモニタリングする。端末装置は、ターゲットＳＳＢのｉｎｄｅｘに基づいてタイムスロットのｉｎｄｅｘなどのパラメータを決定する。
【００５３】
探索空間ｓｅａｒｃｈ  ｓｐａｃｅ＃０の空間受信パラメータは、制御リソースセットＣＯＲＥＳＥＴ＃０の空間受信パラメータと同じである。
【００５４】
本開示の実施例に記載の技術手段では、専用シグナリングにより制御リソースセットＣＯＲＥＳＥＴ＃０のＴＣＩ  ｓｔａｔｅを端末装置に設定し、制御リソースセットＣＯＲＥＳＥＴ＃０のＴＣＩ  ｓｔａｔｅによって指示されたソースＲＳがＣＳＩ−ＲＳである場合、端末装置は、該ＣＳＩ−ＲＳと第１の相関関係があるターゲットＳＳＢを決定することにより、該ターゲットＳＳＢに基づいて、探索空間ｓｅａｒｃｈ  ｓｐａｃｅ＃０のパラメータ情報を正確に決定し、さらに端末装置が探索空間ｓｅａｒｃｈ  ｓｐａｃｅ＃０を正確にモニタリングすることを効果的に実現することができる。
【００５５】
図３は、本開示の実施例に係る端末装置の概略構成図である。図３に示す端末装置３００は、
制御リソースセットＣＯＲＥＳＥＴ＃０のＴＣＩ  ｓｔａｔｅを端末装置３００に設定する専用シグナリングを受信する受信モジュール３０１と、
ここで、制御リソースセットＣＯＲＥＳＥＴ＃０のＴＣＩ  ｓｔａｔｅによって指示されたソースＲＳがＣＳＩ−ＲＳであり、
ＣＳＩ−ＲＳと第１の相関関係があるターゲットＳＳＢを決定する第１の決定モジュール３０２と、
ターゲットＳＳＢに基づいて、制御リソースセットＣＯＲＥＳＥＴ＃０中の探索空間ｓｅａｒｃｈ  ｓｐａｃｅ＃０のパラメータ情報を決定する第２の決定モジュール３０３とを含む。
【００５６】
なお、第１の決定モジュール３０２と第２の決定モジュール３０３とは、信号処理機能を有する同一のハードウェア信号処理モジュールであってもよく、信号処理機能を有する異なるソフトウェア信号処理モジュールであってもよく、ここでは具体的に限定されない。
【００５７】
好ましくは、第１の相関関係として、ＣＳＩ−ＲＳとターゲットＳＳＢとはＱＣＬである。
【００５８】
好ましくは、第１の決定モジュール３０２は、さらに、
ＣＳＩ−ＲＳのＴＣＩ  ｓｔａｔｅを決定し、
ＣＳＩ−ＲＳのＴＣＩ  ｓｔａｔｅに基づいて、ターゲットＳＳＢを決定する。
【００５９】
好ましくは、第１の決定モジュール３０２は、さらに、
ＣＳＩ−ＲＳのＴＣＩ  ｓｔａｔｅによって指示されたソースＲＳが第１のＳＳＢであれば、第１のＳＳＢをターゲットＳＳＢとして決定する。
【００６０】
好ましくは、第１の決定モジュール３０２は、さらに、
ＣＳＩ−ＲＳのＴＣＩ  ｓｔａｔｅによって指示されたソースＲＳがターゲットＲＳであれば、ＳＳＢ以外の他のＲＳであるターゲットＲＳと第２の相関関係がある第２のＳＳＢを決定し、
第２のＳＳＢをターゲットＳＳＢとして決定する。
【００６１】
好ましくは、第２の相関関係として、ターゲットＲＳと第２のＳＳＢとはＱＣＬである。
【００６２】
好ましくは、探索空間ｓｅａｒｃｈ  ｓｐａｃｅ＃０のパラメータ情報は、Ｔｙｐｅ０−ＰＤＣＣＨのｃｏｍｍｏｎ  ｓｅａｒｃｈ  ｓｐａｃｅをモニタリングするように指示する。
【００６３】
好ましくは、探索空間ｓｅａｒｃｈ  ｓｐａｃｅ＃０のパラメータ情報は、時間周波数リソース情報、空間受信パラメータ情報のうちの少なくとも１つを含む。
【００６４】
好ましくは、専用シグナリングは、ＲＲＣシグナリング、ＭＡＣ  ＣＥシグナリングのうちの少なくとも１つを含む。
【００６５】
本開示の実施例に係る端末装置３００は、図２の方法の実施例に係る通信装置によって実現された各プロセスを実現することができ、重複を避けるために、ここでは説明を省略する。
【００６６】
図４は、本開示の実施例に係る別の端末装置の概略構成図である。図４に示す端末装置４００は、少なくとも１つのプロセッサ４０１、メモリ４０２、少なくとも１つのネットワークインタフェース４０４及びユーザインタフェース４０３を含む。端末装置４００中の各コンポーネントは、バスシステム４０５により結合される。理解できるように、バスシステム４０５は、これらのコンポーネント間の接続通信を実現するためのものである。バスシステム４０５は、データバス以外、電源バス、制御バス及び状態信号バスをさらに含む。しかしながら、説明を明らかにするために、図４において、様々なバスをいずれもバスシステム４０５と表記する。
【００６７】
ユーザインタフェース４０３は、ディスプレイ、キーボード又はクリック装置（例えば、マウス、トラックボール（ｔｒａｃｋｂａｌｌ）、タッチパッド又はタッチスクリーンなど）を含んでよい。
【００６８】
本開示の実施例におけるメモリ４０２は、揮発性メモリ又は不揮発性メモリであってもよく、揮発性及び不揮発性メモリの両方を含んでもよい。不揮発性メモリは、読み取り専用メモリ（Ｒｅａｄ−Ｏｎｌｙ  Ｍｅｍｏｒｙ、ＲＯＭ）、プログラマブル読み取り専用メモリ（Ｐｒｏｇｒａｍｍａｂｌｅ  ＲＯＭ、ＰＲＯＭ）、消去可能なプログラマブル読み取り専用メモリ（Ｅｒａｓａｂｌｅ  ＰＲＯＭ、ＥＰＲＯＭ）、電気的消去可能なプログラマブル読み取り専用メモリ（Ｅｌｅｃｔｒｉｃａｌｌｙ  ＥＰＲＯＭ、ＥＥＰＲＯＭ）又はフラッシュメモリであってよい。揮発性メモリは、外部キャッシュとして用いられるランダムアクセスメモリ（Ｒａｎｄｏｍ  Ａｃｃｅｓｓ  Ｍｅｍｏｒｙ、ＲＡＭ）であってよい。限定的なものではなく例示的な説明によれば、スタティックランダムアクセスメモリ（Ｓｔａｔｉｃ  ＲＡＭ、ＳＲＡＭ）、ダイナミックランダムアクセスメモリ（Ｄｙｎａｍｉｃ  ＲＡＭ、ＤＲＡＭ）、同期ダイナミックランダムアクセスメモリ（Ｓｙｎｃｈｒｏｎｏｕｓ  ＤＲＡＭ、ＳＤＲＡＭ）、ダブルデータレートシンクロナスダイナミックランダムアクセスメモリ（Ｄｏｕｂｌｅ  Ｄａｔａ  Ｒａｔｅ  ＳＤＲＡＭ、ＤＤＲＳＤＲＡＭ）、エンハンスドシンクロナスダイナミックランダムアクセスメモリ（Ｅｎｈａｎｃｅｄ  ＳＤＲＡＭ、ＥＳＤＲＡＭ）、シンクリンクダイナミックランダムアクセスメモリ（Ｓｙｎｃｈ  ｌｉｎｋ  ＤＲＡＭ、ＳＬＤＲＡＭ）及びダイレクトラムバスランダムアクセスメモリ（Ｄｉｒｅｃｔ  Ｒａｍｂｕｓ  ＲＡＭ、ＤＲＲＡＭ）などの多くの形態のＲＡＭは使用可能である。本開示の実施例に係るシステム及び方法におけるメモリ４０２は、これらのメモリ及び任意の他の適切なタイプのメモリを含むが、これらに限定されないことが意図される。
【００６９】
いくつかの実施形態では、メモリ４０２は、実行可能モジュール又はデータ構造、又はそれらのサブセット、又はオペレーティングシステム４０２１及びアプリケーションプログラム４０２２であるそれらの拡張セットなどの要素を記憶する。
【００７０】
オペレーティングシステム４０２１は、様々な基本タスクを実現し、かつハードウェアベースのタスクを処理するための、フレームワーク層、コアライブラリ層、ドライバ層などの様々なシステムプログラムを含む。アプリケーションプログラム４０２２は、様々なアプリケーションサービスを実現するための、メディアプレーヤー（Ｍｅｄｉａ  Ｐｌａｙｅｒ）及びブラウザ（Ｂｒｏｗｓｅｒ）などの様々なアプリケーションプログラムを含む。本開示の実施例に係る方法を実現するプログラムは、アプリケーションプログラム４０２２に含まれてよい。
【００７１】
本開示の実施例では、端末装置４００は、メモリ４０２に記憶されプロセッサ４０１上で実行可能なコンピュータプログラムをさらに含み、コンピュータプログラムがプロセッサ４０１によって実行されると、
制御リソースセットＣＯＲＥＳＥＴ＃０のＴＣＩ  ｓｔａｔｅを端末装置に設定する専用シグナリングを受信するステップと、
ここで、制御リソースセットＣＯＲＥＳＥＴ＃０のＴＣＩ  ｓｔａｔｅによって指示されたソースＲＳがＣＳＩ−ＲＳであり、
ＣＳＩ−ＲＳと第１の相関関係があるターゲットＳＳＢを決定するステップと、
ターゲットＳＳＢに基づいて、制御リソースセットＣＯＲＥＳＥＴ＃０中の探索空間ｓｅａｒｃｈ  ｓｐａｃｅ＃０のパラメータ情報を決定するステップとが実現される。
【００７２】
上記本開示の実施例に係る方法は、プロセッサ４０１に適用されてもよく、プロセッサ４０１によって実現されてもよい。プロセッサ４０１は、信号の処理能力を備える集積回路チップである可能性がある。実現プロセスにおいて、上記方法の各ステップは、プロセッサ４０１中のハードウェアの集積論理回路又はソフトウェア形態のコマンドにより完了することができる。上記プロセッサ４０１は、汎用プロセッサ、デジタルシグナルプロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）又は他のプログラマブルロジックデバイス、ディスクリートゲート又はトランジスタロジックデバイス、ディスクリートハードウェアコンポーネントであってよい。本開示の実施例に係る各方法、ステップ及び論理ブロック図を実現又は実行することができる。汎用プロセッサは、マイクロプロセッサであってもよく、任意の通常のプロセッサなどであってもよい。本開示の実施例に係る方法を結合するステップは、ハードウェア復号プロセッサによって実行して完了されるか、又は復号プロセッサ内のハードウェアとソフトウェアモジュールとの組み合わせによって実行して完了されるものとして、直接的に具体化され得る。ソフトウェアモジュールは、ランダムメモリ、フラッシュメモリ、読み取り専用メモリ、プログラマブル読み取り専用メモリ又は電気的消去可能なプログラム可能なメモリ、レジスターなどの本分野における完全に発達したコンピュータ読み取り可能な記憶媒体に位置してよい。該コンピュータ読み取り可能な記憶媒体は、メモリ４０２に位置し、プロセッサ４０１は、メモリ４０２内の情報を読み取って、ハードウェアと組み合わせて上記方法のステップを完了する。具体的には、該コンピュータ読み取り可能な記憶媒体に、プロセッサ４０１によって実行されると、上記図２に示される方法の実施例の各ステップを実現するコンピュータプログラムが記憶されている。
【００７３】
理解できるように、本開示の実施例に係るこれらの実施例は、ハードウェア、ソフトウェア、ファームウェア、ミドルウェア、マイクロコード、又はそれらの組み合わせによって実現されてよい。ハードウェアによる実現に対して、処理ユニットは、１つ以上の特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔｓ、ＡＳＩＣ）、デジタルシグナルプロセッサ（Ｄｉｇｉｔａｌ  Ｓｉｇｎａｌ  Ｐｒｏｃｅｓｓｉｎｇ、ＤＳＰ）、デジタル信号処理デバイス（ＤＳＰ  Ｄｅｖｉｃｅ、ＤＳＰＤ）、プログラマブルロジックデバイス（Ｐｒｏｇｒａｍｍａｂｌｅ  Ｌｏｇｉｃ  Ｄｅｖｉｃｅ、ＰＬＤ）、フィールドプログラマブルゲートアレイ（Ｆｉｅｌｄ−Ｐｒｏｇｒａｍｍａｂｌｅ  Ｇａｔｅ  Ａｒｒａｙ、ＦＰＧＡ）、汎用プロセッサ、コントローラ、マイクロコントローラ、マイクロプロセッサ、本開示に記載の機能を実行するための他の電子ユニット又はそれらの組み合わせにおいて実現されてよい。
【００７４】
ソフトウェアによる実現に対して、本開示の実施例に係る機能を実行するモジュール（例えば、プロセス、関数など）により、本開示の実施例に係る技術を実現してよい。ソフトウェアコードは、メモリに記憶され、かつプロセッサにより実行されてよい。メモリは、プロセッサ内又はプロセッサの外部で実現されてよい。
【００７５】
端末装置４００は、前述の図２の方法の実施例における端末装置によって実現される各プロセスを実現することができ、重複を避けるために、ここでは繰り返して説明しない。
【００７６】
本開示の実施例に係るコンピュータ読み取り可能な記憶媒体は、プロセッサによって実行されると、上記図２の方法の実施例の各プロセスを実現し、かつ同じ技術的効果を達成することができるコンピュータプログラムが記憶されており、重複を避けるために、ここでは説明を省略する。前記コンピュータ読み取り可能な記憶媒体は、読み取り専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク又は光ディスクなどであってよい。
【００７７】
なお、本明細書において、用語「含む」、「備える」及びそれらのいかなる変形は、非排他的な包含をカバーすることを意図することにより、一連の要素を含むプロセス、方法、製品又は装置は、それらの要素を含むだけでなく、明確に例示されていない他の要素をさらに含むか、又はこれらのプロセス、方法、製品又は装置に固有の要素をさらに含む。より多くの限定がない場合に、語句「１つ・・・を含む」により限定された要素は、該要素を含むプロセス、方法、物品又は装置に、別の同一の要素がさらに存在することを排除するものではない。
【００７８】
以上の実施形態の説明により、当業者が明確に理解できるように、上記実施例の方法は、ソフトウェアと必要な汎用ハードウェアプラットフォームを併用した方法で実現できる。ハードウェアでも実現できるが、多くの場合に前者がより好ましい実施形態である。このような理解に基づいて、本開示の技術手段は、本質的又は関連技術に寄与する部分がソフトウェア製品の形態で具現化されてよく、該コンピュータソフトウェア製品は、記憶媒体（例えば、ＲＯＭ／ＲＡＭ、磁気ディスク、光ディスク）に記憶され、１台の端末（携帯電話、コンピュータ、サーバ、エアコン又はネットワーク装置などであってよい）に本開示の各実施例に記載の方法を実行させるための複数のコマンドを含む。
【００７９】
以上、図面を参照しながら本開示の実施例を説明したが、本開示は、上記具体的な実施形態に限定されるものではなく、上記具体的な実施形態は、制限的なものではなく、例示的なものに過ぎない。当業者であれば、本開示の示唆で、本開示の趣旨及び特許請求の範囲の保護範囲から逸脱せずに多くの形式を行うことができ、これらはいずれも本開示の保護範囲内に属する。
【図１】
2021523653.tif 000003
【図２】
2021523653.tif 000004
【図３】
2021523653.tif 000005
【図４】
2021523653.tif 000006
【手続補正書】
【提出日】令和3年2月25日(2021.2.25)
【手続補正１】
【補正対象書類名】特許請求の範囲
【補正対象項目名】全文
【補正方法】変更
【補正の内容】
【特許請求の範囲】
【請求項１】
端末装置に適用される探索空間パラメータの決定方法であって、
制御リソースセットＣＯＲＥＳＥＴ＃０の伝送設定指示状態ＴＣＩ  ｓｔａｔｅを端末装置に設定する専用シグナリングを受信することと、
ここで、前記制御リソースセットＣＯＲＥＳＥＴ＃０のＴＣＩ  ｓｔａｔｅによって指示されたソース参照信号Ｓｏｕｒｃｅ  ＲＳがチャネル状態情報参照信号ＣＳＩ−ＲＳであり、
前記チャネル状態情報参照信号ＣＳＩ−ＲＳと第１の相関関係があるターゲット同期信号ブロックＳＳＢを決定することと、
前記ターゲット同期信号ブロックＳＳＢに基づいて、前記制御リソースセットＣＯＲＥＳＥＴ＃０中の探索空間ｓｅａｒｃｈ  ｓｐａｃｅ＃０のパラメータ情報を決定することとを含む、探索空間パラメータの決定方法。
【請求項２】
前記第１の相関関係として、前記チャネル状態情報参照信号ＣＳＩ−ＲＳと前記ターゲット同期信号ブロックＳＳＢとが疑似コロケーションＱＣＬである、請求項１に記載の探索空間パラメータの決定方法。
【請求項３】
前記探索空間ｓｅａｒｃｈ  ｓｐａｃｅ＃０のパラメータ情報は、時間周波数リソース情報、空間受信パラメータ情報のうちの少なくとも１つを含む、請求項１に記載の探索空間パラメータの決定方法。
【請求項４】
前記専用シグナリングは、無線リソース制御ＲＲＣシグナリング、媒体アクセス制御層制御要素ＭＡＣ  ＣＥシグナリングのうちの少なくとも１つを含む、請求項１に記載の探索空間パラメータの決定方法。
【請求項５】
前記チャネル状態情報参照信号ＣＳＩ−ＲＳと関連関係があるターゲットＳＳＢを決定することは、
前記チャネル状態情報参照信号ＣＳＩ−ＲＳのＴＣＩ  ｓｔａｔｅを決定することと、
前記チャネル状態情報参照信号ＣＳＩ−ＲＳのＴＣＩ  ｓｔａｔｅに基づいて、前記ターゲットＳＳＢを決定することとを含む、請求項１に記載の探索空間パラメータの決定方法。
【請求項６】
前記チャネル状態情報参照信号ＣＳＩ−ＲＳのＴＣＩ  ｓｔａｔｅに基づいて、前記ターゲットＳＳＢを決定することは、
前記チャネル状態情報参照信号ＣＳＩ−ＲＳのＴＣＩ  ｓｔａｔｅによって指示されたＳｏｕｒｃｅ  ＲＳが第１のＳＳＢであれば、第１のＳＳＢを前記ターゲットＳＳＢとして決定することを含む、請求項５に記載の探索空間パラメータの決定方法。
【請求項７】
前記チャネル状態情報参照信号ＣＳＩ−ＲＳのＴＣＩ  ｓｔａｔｅに基づいて、前記ターゲットＳＳＢを決定することは、
前記チャネル状態情報参照信号ＣＳＩ−ＲＳのＴＣＩ  ｓｔａｔｅによって指示されたＳｏｕｒｃｅ  ＲＳがターゲット参照信号ＲＳであれば、ＳＳＢ以外の他のＲＳである前記ターゲットＲＳと第２の相関関係がある第２のＳＳＢを決定することと、
前記第２のＳＳＢを前記ターゲットＳＳＢとして決定することを含む、請求項５に記載の探索空間パラメータの決定方法。
【請求項８】
前記第２の相関関係として、前記ターゲットＲＳと前記第２のＳＳＢとがＱＣＬである、請求項７に記載の探索空間パラメータの決定方法。
【請求項９】
前記探索空間ｓｅａｒｃｈ  ｓｐａｃｅ＃０のパラメータ情報は、物理ダウンリンク制御チャネルＴｙｐｅ  ０−ＰＤＣＣＨの共通探索空間ｃｏｍｍｏｎ  ｓｅａｒｃｈ  ｓｐａｃｅをモニタリングするように指示する、請求項１又は請求項３に記載の探索空間パラメータの決定方法。
【請求項１０】
制御リソースセットＣＯＲＥＳＥＴ＃０のＴＣＩ  ｓｔａｔｅを端末装置に設定する専用シグナリングを受信する受信モジュールと、
ここで、前記制御リソースセットＣＯＲＥＳＥＴ＃０のＴＣＩ  ｓｔａｔｅによって指示されたＳｏｕｒｃｅ  ＲＳがチャネル状態情報参照信号ＣＳＩ−ＲＳであり、
前記チャネル状態情報参照信号ＣＳＩ−ＲＳと第１の相関関係があるターゲットＳＳＢを決定する第１の決定モジュールと、
前記ターゲットＳＳＢに基づいて、前記制御リソースセットＣＯＲＥＳＥＴ＃０中の探索空間ｓｅａｒｃｈ  ｓｐａｃｅ＃０のパラメータ情報を決定する第２の決定モジュールとを含む、端末装置。
【請求項１１】
前記第１の相関関係として、前記チャネル状態情報参照信号ＣＳＩ−ＲＳと前記ターゲットＳＳＢとが疑似コロケーションＱＣＬである、請求項１０に記載の端末装置。
【請求項１２】
前記探索空間ｓｅａｒｃｈ  ｓｐａｃｅ＃０のパラメータ情報は、時間周波数リソース情報、空間受信パラメータ情報のうちの少なくとも１つを含む、請求項１０に記載の端末装置。
【請求項１３】
前記専用シグナリングは、無線リソース制御ＲＲＣシグナリング、媒体アクセス制御層制御要素ＭＡＣ  ＣＥシグナリングのうちの少なくとも１つを含む、請求項１０に記載の端末装置。
【請求項１４】
メモリと、プロセッサと、前記メモリに記憶されて前記プロセッサで実行可能なコンピュータプログラムプログラムとを含む端末装置であって、
前記コンピュータプログラムが前記プロセッサによって実行されると、請求項１〜９のいずれか１項に記載の探索空間パラメータの決定方法が実現される、端末装置。
【請求項１５】
コンピュータプログラムが記憶されているコンピュータ読み取り可能な記憶媒体であって、
前記コンピュータプログラムがプロセッサによって実行されると、請求項１〜９のいずれか１項に記載の探索空間パラメータの決定方法が実現される、コンピュータ読み取り可能な記憶媒体。
【国際調査報告】
2021523653.tif 000007
2021523653.tif 000008
2021523653.tif 000009
2021523653.tif 000010